(57)【要約】【課題】袋口部の挟持保持を外すための解除レバーを、保持器の外側に突出させて設ける形態では、解除レバーを操作するとき、袋口部を把持している手を解除レバー側へ持ち替える必要があるため、穀粒の充填された袋が倒れ易くなる。このために、袋口部を片手で持ちながら、左右の解除レバーを一つ毎解除操作するのは、袋交換作業に手数、時間を要して、煩わしくなる。【解決手段】袋口部１の左右両側端部に対応する位置に配置されて、この開口袋口縁２の内周面を支持する支持体３と、この支持体３に介入される袋口縁２の外周面を挟持する挟持片４と、この挟持片４の袋口縁２挟持を解除する解除レバー５とを有して、袋詰用袋口部を開拡保持可能に構成すると共に、前記挟持片４の挟持状態を解除操作する解除レバー５を、前記左右の各挟持片４の手前側に向けて設け該解除レバー５を下方へ回動することによって挟持片４を開拡ｆさせるよう構成する。【選択図】図２
2015229512.tif 000002
【特許請求の範囲】
【請求項１】
袋口部（１）の左右両側部に対応する位置に配置されて、この開口袋口縁（２）を支持する支持体（３）と、この支持体（３）に介入される袋口縁（２）を挟持する挟持片（４）と、この挟持片（４）の袋口縁（２）挟持を解除する解除レバー（５）とを有して、袋詰用袋口部（１）を開拡保持可能に構成すると共に、前記挟持片（４）の挟持状態を解除操作する解除レバー（５）を、前記左右の各挟持片（４）の手前側に向けて設け、該解除レバー（５）を下方へ回動することによって挟持片（４）を開拡（ｆ）させることを特徴とする穀粒袋の袋口開拡保持器。
【請求項２】
前記解除レバー（５）の回動基部にカム（６）を設けて、この解除レバー（５）を下動回動することによって、前記カム（６）部で前記挟持片（４）のスプリング（７）による挟持状態を開拡（ｆ）させることを特徴とする請求項１に記載の穀粒袋の袋口開拡保持器。
【請求項３】
前記解除レバー（５）は、操作者側手前方向へ向け突出させ、この状態から適宜角度域下方に回動自在の中立回動域（Ｎ）を設け、前記解除レバー（５）の中立回動域（Ｎ）では、前記挟持片（４）は押し開かれないで、この中立回動域（Ｎ）を超えてそれ以上に解除レバー（５）を下方回動操作することによって、前記挟持片（４）を開拡（ｆ）して、袋口縁（２）の挟持を開放することを特徴とする請求項２に記載の穀粒袋の袋口開拡保持器。
【発明の詳細な説明】
【技術分野】
【０００１】
この発明は、玄米などの穀粒を収容するための穀粒袋の袋口を開拡した形態に保持する袋口開拡保持器に関するもので、玄米選別器などの選別玄米の取出口部にのぞませて設置して、玄米の袋詰処理を正確に、容易、迅速に行い易くするものである。
【背景技術】
【０００２】
選別機の玄米取出口の下側に、袋口の左右両側端部の袋口縁を挟持して、袋口を開拡形態に保持する袋口開拡保持器を設ける技術（例えば、特許文献１参照）が知られている。
【先行技術文献】
【特許文献】
【０００３】
【特許文献１】実開平１-１３７８１１号公報
【発明の概要】
【発明が解決しようとする課題】
【０００４】
袋口の左右両側端部を、各袋口保持器に挟持させて吊持形態に保持させる保持器形態にあっては、この袋の手前側正面位置に立って袋詰作業する作業者は、左右両手で袋口両側端部の袋口縁部を把持した状態で、保持器の左右両側端部位置の挟持部に、差込み挟持させたり、この挟持保持を取外す等の袋口着脱の操作を迅速、的確に行うことを要する。
【０００５】
このため、袋口部の挟持保持を外すための解除レバーを、保持器の外側に突出させて設ける形態では、この解除レバーを操作するとき、前記袋口部を把持している手を解除レバー側へ持ち替える必要があるため、袋口部の吊持状態や、袋底部の支持具合い等が悪いと、穀粒の充填された袋が倒れ易くなる。これを避けるために、袋口部を片手で持ちながら、左右の解除レバーを一つ毎解除操作するのは、袋交換作業に手数、時間を要して、煩わしくなる。
【課題を解決するための手段】
【０００６】
請求項１に記載の発明は、袋口部１の左右両側端部に対応する位置に配置されて、この開口袋口縁２の内周面を支持する支持体３と、この支持体３に介入される袋口縁２の外周面を挟持する挟持片４と、この挟持片４の袋口縁２挟持を解除する解除レバー５とを有して、袋詰用袋口部を開拡保持可能に構成すると共に、前記挟持片４の挟持状態を解除操作する解除レバー５を、前記左右の各挟持片４の手前側に向けて設けたことを特徴とする穀粒袋の袋口開拡保持器の構成とする。
【０００７】
作業者は、穀粒を袋詰めするための袋口部１の左右両側部を把持して、穀粒取出口下部位置に設置している計量台等上面に、この袋底部を載置して、袋口部１左右両側端部の袋口縁２を、支持体３と挟持片４とによる挟持部直下に位置させて、この直下位置から上側へ引き上げながら、各袋口縁２を支持体３と挟持片４との挟持部間に押込むようにして介入させる。この袋口縁２が支持体３と挟持片４との間に差込介入されると、挟持片４による袋口縁２が挟持されて袋口部１を開口状態に吊持、保持される。
【０００８】
穀粒の充填された袋を計量台、及び袋保持器から取外すときは、左右両手で前記袋口部１の左右両側端部の袋口縁２部を把持して、前記袋口縁２部を把持している手を外側より位置の解除レバー５上面部に変位させて、この袋口縁２を把持したままの手で解除レバー５を下側へ向けて回動操作する。この解除レバー５の下方回動によって、挟持片４を支持体３から離間するように開拡ｆして、挟持片４による袋口縁２の挟持状態を開放して、この袋口縁２の保持器からの取外を行われ易くする。
【０００９】
請求項２に記載の発明は、前記解除レバー５の回動基部にカム６を設けて、この解除レバー５を下動回動することによって、前記カム６部で前記挟持片４のスプリング７による挟持状態を開拡ｆさせるように構成する。
【００１０】
前記保持器は、支持体３と挟持片４との間に、袋口部１両側端部の袋口縁２を挟持させて吊持形態に保持させることができるが、この挟持片４の手前側近傍位置には、解除レバー５があって、この解除レバー５を下方向へ回動することによって、カム６を押し上げて、挟持片４をスプリング７の弾圧力に抗して押し開き、袋口縁２の挟持を開拡ｆすることができる。従って、この解除レバー５は、袋口縁２を操作手で把持状態で下側位置から上方へ持ち上げて、挟持片４の内側へ挟持案内する場合の操作の邪魔になり難い状態にある。
【００１１】
請求項３に記載の発明は、前記解除レバー５は、操作者側手前方向へ向け突出させ、この状態から適宜角度域下方に回動自在の中立回動域Ｎを設け、前記解除レバー５の中立回動域Ｎでは、前記挟持片４は押し開かれないで、この中立回動域Ｎを越えてそれ以上に解除レバー５を下方回動操作することによって、前記挟持片４を開拡ｆして、袋口縁２の挟持を開放するように構成する。
【００１２】
前記解除レバー５は、袋口部１の左右両側部の該挟持片４の手前側において、操作者側に向けて突出させた姿勢に維持される。袋口縁２部が挟持片４の下側から上側へ向けて押込まれると、この挟持片４がスプリング７に抗して押し開かれて、支持体３と挟持片４との間に袋口縁２部を介入させて吊持姿勢に保持する。解除レバー５の回動基部にはカム６を設けて、解除レバー５を下方回動することによって、前記カム６部で挟持片４のスプリング７による挟持状態を開拡ｆさせる構成であるが、この解除レバー５及びカム６の回動域に、カム６が回動しても挟持片４の開拡ｆに作用しない中立回動域Ｎを設けてある。従って、解除レバー５を、中立回動域Ｎを越えてそれ以上に回動するまでは、カム６は挟持片４を押し開かない。
【発明の効果】
【００１３】
請求項１に記載の発明は、挟持片４の支持体３に対する挟持状態から、この挟持片４を開放回動させて袋口縁２部の挟持を解除するための解除レバー５を、この挟持片４の手前側へ向けて設けるものであるから、作業者は左右両手で袋口部１の左右両側端部を挟持して、挟持片４の挟持域に掛け外し操作しながら、同時に把手位置近傍に位置する解除レバー５を、この袋口縁２を把持した状態の手で、下側へ押し下げて回動操作して、把持片４の把持状態を解除することができる。解除レバー５を解除方向へ操作するとき、袋口縁４の把持状態から把持手を開放して、解除レバー５へ移して把持するような、解除レバー５の持替操作を行うことは不要となり、穀粒の収容された袋を転倒させたり、袋口部１が開いたままで、不用意に袋横転、乃至傾斜して、収容穀粒の漏出、排出の恐れを防止できる。しかも、解除レバー５の位置を操作手前側に向けて設けることによって、構成を簡潔化して、操作を迅速化でき、袋口部１の交換操作行程との時間間隔を短かくして、時間的余裕を持った操作で、的確に行うことができる。
【００１４】
請求項２に記載の発明は、前記挟持片４のスプリング７による挟持状態を、前記解除レバー５の押し下げ回動操作によってカム６を介して解除状態に操作することができるため、簡単な構成、及びレバー操作形態として、円滑で、的確な回動動作と袋口部１の付替作業を行うことができる。
【００１５】
請求項３に記載の発明は、挟持片４の手前側に、突出して設けられる解除レバー５は、この状態から適宜角度域下方に回動自在の中立回動域Ｎが設けられているため、この中立回動域Ｎ内での解除レバー５の回動操作では、挟持片４の回動や、解除操作は行われないので、袋口縁２部を挟持した状態を維持して、誤操作により袋口縁２の挟持状態が解除されてしまうことを少なくして操作性を高めることができる。
【図面の簡単な説明】
【００１６】
【図１】袋口開拡保持器の作業状態を示す側面図。
【図２】その正面図。
【図３】その側面図。
【図４】その一部の斜視図。
【図５】その作動状態を示す斜視図。
【図６】解除レバー部の状態位置の操作状態を示す正面図(Ａ)と側面図（Ｂ）。
【図７】解除レバー部の状態位置の操作状態を示す正面図(Ａ)と側面図（Ｂ）。
【図８】解除レバー部の状態位置の操作状態を示す正面図(Ａ)と側面図（Ｂ）。
【発明を実施するための形態】
【００１７】
図面に基づいて、袋口保持器は、籾摺機によって摺出された摺出米等を選別する選別機の玄米取出口１０の下側に設置して、この取出口１０から取出される選別玄米を受けて袋詰収容させる。図例の選別機は、縦形の外筒１１の内部に、回転外周面に穀粒搬送用の螺旋を形成した螺旋胴と、この螺旋胴の外周部を覆うように形成する選別筒を配置して、前記螺旋胴を電動モータで駆動回転することにより、外筒１１部のホッパー１２から供給される穀粒を下端底部に受けて、選別筒の内周面に沿って揚送しながら、屑米や、ぬか類を選別筒の外周部へ漏下させて、整粒玄米を選別筒の上端部から排出シュート１３を経て、前側の取出口１０へ取出すものである。又、選別筒の外周部に選別された屑米等は、外筒１１の横側下部の屑米取出口１４へ排出されて、屑米袋等に収容される。
【００１８】
前記玄米の取出される取出口１０部には、この取出口１０を開閉するシャッター１５や、ビニール製の案内筒１６等が取付けられて、取出玄米の袋詰め供給を行い易くしている。この取出口１０の下側位置を中心にして左右両側部一対の形態に配置する袋口保持器８は、計量器１７の計量台１８の左右両側部に立設する支持杆１９の上端部に取付けられていて、正面視で逆Ｕ字状形態の支持体３と、この支持体３の内側先端部に対向接近するように弾発する挟持片４とからなり、袋口縁２部内周面に嵌合させた支持体３の左右外側部に、挟持片４をスプリング７により弾発させて、これら支持体３の外周面に嵌合させた袋口縁２の外周面を、挟持片４で押圧挟持して、袋口部１の開拡状態を保持する。これら支持体３は、前記支持杆１９の途中を上下伸縮調節可能とする上部支持杆２０の上端部に形成されて、この支持体３に設けたブラケット２８の内側に挟持片４と、この挟持片４をスプリング７に抗して回動する解除レバー５を取付けている。左右の各上部支持杆２０は、下部の支持杆１９に対してスプリング２２に抗して押し下げることができ、袋口縁２を支持体３と挟持片４との間に介入させた状態では、穀粒袋が計量台１８と非接触状態、すなわち浮いた状態となっており、この穀粒袋の中へ穀粒が投入されるとその重量で上部支持杆２０が穀粒袋とともに下降移動する。２３は、左右両側の支持杆２０間部を連結する袋底ガードで、袋底部が計量台１８上面から脱出しないように規制する。
【００１９】
前記上部支持杆２０、支持体３、及び挟持片４は、帯状の板金製、又は硬質合成樹脂製として成形している。逆Ｕ字状形態の支持体３の先端部は、適宜角度内側へ傾斜させた傾斜片２４を形成し、この傾斜片２４の外側部に対向して弾発される挟持片４の下半部には、外側下りの傾斜面２５を形成して、これら傾斜片２４と傾斜面２５とによって、正面視八字状の袋口縁２介入口２６を形成し、支持体３と挟持片４との間に袋口縁２を差込みし易く形成している。この挟持片４の傾斜面２５から先端部２７にかけた介入口２６側には、袋口縁２の破れ防止、及び、確実な袋の吊持のためのゴム及至スポンジを取着してある。又、この挟持片４の先端部２７を外側へ曲げた形態として、支持体３の外側面との間に上開きの傾斜面を形成して、これらの間の挟持保持されている袋口縁２の挟持状態解除を行い易く形成している。
【００２０】
前記挟持片４、及び解除レバー５の取付構成について、上部支持杆２０の上端部にブラケット２８を設け、このブラケット２８の内側に、前後方向に沿うピン２９周りに回動自在の挟持片４と、この挟持片４を支持体３側へ張圧するスプリング７とを設けてある。前記ブラケット２８の下側には、上部支持杆２０の内側部に、レバーピン３１周りに回動操作できるカム６と、解除レバー５とを設け、この解除レバー５を下側へ回動操作することにより、カム６をレバーピン３１周りに上側へ回動させて、このカム６の上側面に支持する挟持片４のカム受面３２を押し上げて、この挟持片４を支持体３から外側へ開拡ｆ回動させることができる。前記カム６は、円盤形に形成して、この中心部をカム軸３３周りに回転自在に支持し、このカム軸３３の基部を前記レバーピン３１と一体的取付構成としているが、このカム６は単なる偏心形態に形成して、この解除レバー５によって上下に回動操作する形態とすることも可能である。ただし、カム６自体が回転自在な方が、カム６やカム受面３２の摩耗が少なく、動きもスムーズである。
【００２１】
前記解除レバー５は、この外側に接近して設けられる上部支持杆２０の内側面に接近してレバーピン３１周りに上下回動することができるが、この解除レバー５の手前側（操作作業者側）は、解除レバー５の自重によって下方回動する状態にあり、レバーピン３１側のカム６の上側の適宜間隔を設けた位置に挟持片４のカム受面３２を配置してあるが、この解除レバー５は、レバーピン３１周りに下方向適宜角度の中立回動域Ｎ間に亘り回動自在で、レバーピン３１周りに設けられるスプリング３４によって、解除レバー５の方向が、例えば操作者側手前斜め上方へ向け突出した手前側上り状態位置ａに維持される。従って、この解除レバー５を手前側上り状態位置ａから中立回動域Ｎを経て下方回動することによって、カム６を押し上げて挟持片４を開拡回動することができ、この挟持片４の挟持間隔を開拡ｆすることによって、挟持された袋口縁２が挟持状態を解除され、スプリング２２で上方へ付勢された上部支持杆２０や袋口保持器８が上昇する。
【００２２】
ここにおいて  袋口開拡する袋口保持器８は、袋口部１の左右両側端部に対応する位置に配置されて、この開口袋口縁２の内周面を支持する支持体３と、この支持体３に介入される袋口縁２の外周面を挟持する挟持片４と、この挟持片４の袋口縁２挟持を解除する解除レバー５とを有して、袋詰用袋口部１を開拡保持可能に構成すると共に、前記挟持片４の挟持状態を解除操作する解除レバー５を、前記左右の各挟持片４の操作者側手前側に向け、該解除レバー５を下方へ回動することによって挟持片４を開拡ｆさせる構成とする。
【００２３】
袋詰め作業者は、穀粒を袋詰めするための袋口部１の左右両側部を把持して、穀粒取出口１０部位置に設置している計量台１８等上面に、この袋底部を載置して、袋口部１左右両側端部の袋口縁２を、支持体３と挟持片４とによる挟持部直下に位置させて、この直下位置から上側へ引き上げながら、各袋口縁２を支持体３と挟持片４との挟持部間に押込むようにして介入させる。この袋口縁２が支持体３と挟持片４との間に差込介入されると、挟持片４による袋口縁２が挟持されて袋口部１を開口状態に吊持、保持される。この状態においては、袋底部と計量台１８との間は適宜の間隔を有しており、袋内に穀粒が投入されると、その重量で上部支持杆２０を持上げているスプリング２２の付勢力に抗して、袋が上部支持杆２０と共に下降移動するという位置関係である。
【００２４】
穀粒の充填された袋を計量台１８、及び袋口保持器８から取外すときは、左右両手で前記袋口部１の左右両側端部の袋口縁２部を把持したまま、手を解除レバー５上面部に変位させて、この袋口縁２を把持したままの手で解除レバー５を下側へ回動操作する。この解除レバー５の下方回動によって、挟持片４を支持体３から離間するように開放回動して、挟持片４による袋口縁２の挟持を開拡ｆすると共に、スプリング２２で上方へ付勢された上部支持杆２０が上方へ移動して、この袋口縁２の保持器からの取外を行われる。
【００２５】
前記袋口保持器８は、支持体３と挟持片４との間に、袋口部１両側端部の袋口縁２を挟持させて吊持形態に保持させることができるが、この挟持片４の手前側には、解除レバー５があって、この解除レバー５を下方回動することによって、カム６を押し上げて、挟持片４をスプリング７の弾圧力に抗して押し開き袋口縁２の挟持を開放することができる。従って、この解除レバー５は、例えば通常時は操作者側に向け突出させた手前側上り状態であり、この手前側上り状態位置ａから適宜角度域下方に回動自在の中立回動域Ｎを設け、前記解除レバー５の手前側上り状態位置ａから、例えば解除レバー５が略水平状態位置ｂとなる中立回動域Ｎでは、前記挟持片４は押し開かれないで、この解除レバー５を更に下方回動させて、例えば解除レバー５を手前下り状態位置ｃの状態に操作することによって、前記挟持片４を開拡ｆして、袋口縁２の挟持を開放するように構成する。尚、解除レバー５の各々の状態での傾きは、適宜設定できるものであり、例えば初期状態を解除レバー５が略水平状態として設定しても良い。
【符号の説明】
【００２６】
１    袋口部
２    袋口縁
３    支持体
４    挟持片
５    解除レバー
６    カム
７    スプリング
ｆ    開拡
Ｎ    中立回動域
【図１】
2015229512.tif 000003
【図２】
2015229512.tif 000004
【図３】
2015229512.tif 000005
【図４】
2015229512.tif 000006
【図５】
2015229512.tif 000007
【図６】
2015229512.tif 000008
【図７】
2015229512.tif 000009
【図８】
2015229512.tif 000010